(57)【要約】【課題】作業者個人の被ばく線量を簡単かつ確実に管理できる入退場管理システムを提供すること。【解決手段】入退場管理システム１は、作業者の従事者カード１２から従事者番号を読み取るとともに、作業者のポケット線量計１３の線量計番号を読み取るバーコードスキャナ１１と、線量計１３で計測した被ばく線量値を読み取り入力する赤外線通信装置１４と、作業者の従事者番号および線量計番号を読み取ると、作業者に線量計を関連付けて記憶する入場管理手段３２と、従事者番号、線量計番号、および被ばく線量値を読み取って入力すると、作業者にこの被ばく線量値を関連付けて記憶する退場管理手段３３と、作業者毎に、入力された被ばく線量値を累積して累積被ばく線量を算定し、線量限度からこの累積被ばく線量を減算して、許容被ばく線量を求めるとともに、累積被ばく線量および許容被ばく線量を表示する被ばく線量管理手段３４と、を備える。【選択図】図１
2014048117.tif 000002
【特許請求の範囲】
【請求項１】
高放射線量の作業エリアでの作業者の入退場を管理する入退場管理システムであって、
前記作業者の個人識別子から当該作業者の識別番号を読み取る個人識別手段と、
前記作業者に割り当てられて被ばく線量を計測する線量計の識別番号を読み取る線量計識別手段と、
前記線量計で計測した被ばく線量値を読み取り入力する線量値入力手段と、
入場管理が選択された状態で、前記個人識別手段により前記作業者の識別番号を読み取り、かつ、前記線量計識別手段により前記線量計の識別番号を読み取ると、前記作業者に前記線量計を関連付けて入場者として記憶する入場管理手段と、
退場管理が選択された状態で、前記個人識別手段により前記作業者の識別番号を読み取り、かつ、前記線量計識別手段により前記線量計の識別番号を読み取って、さらに前記線量値入力手段により前記線量計で計測した被ばく線量値を読み取り入力すると、前記作業者に当該被ばく線量値を関連付けて退場者として記憶する退場管理手段と、
作業者毎に、前記入力された被ばく線量値を累積して累積被ばく線量を算定し、線量限度から当該累積被ばく線量を減算して、許容被ばく線量を求めるとともに、前記累積被ばく線量および前記許容被ばく線量を表示する被ばく線量管理手段と、を備えることを特徴とする入退場管理システム。
【請求項２】
前記作業者の線量計の被ばく線量および作業時間に基づいて、当該作業者の作業場所における空間放射線量を推定する放射線量推定手段と、
複数の作業場所における空間放射線量を補間して、前記作業エリアにおける空間放射線量の分布を算定して表示する放射線量分布管理手段と、をさらに備えることを特徴とする請求項１に記載の入退場管理システム。
【請求項３】
時間経過に伴う空間放射線量の減衰率を求める減衰率算定手段と、
当該減衰率に基づいて、前記作業エリアにおける将来の空間放射線量の分布を算定して表示する将来放射線量分布管理手段と、をさらに備えることを特徴とする請求項２に記載の入退場管理システム。
【発明の詳細な説明】
【技術分野】
【０００１】
本発明は、入退場管理システムに関する。詳しくは、高放射線量の作業エリアでの作業者の入退場を管理する入退場管理システムに関する。
【背景技術】
【０００２】
従来より、高放射線量の作業エリアにおいて、作業者の入退場を管理する入退場管理システムがある（特許文献１参照）。
具体的には、この入退場管理システムでは、入場扉を施錠する扉施錠装置が設けられ、この扉施錠装置は、線量計と電波を送受信できた場合にのみ、入場扉を解錠する。よって、線量計を所持していない作業者が入場扉を通過して作業エリアに入場するのを防止できる。
【先行技術文献】
【特許文献】
【０００３】
【特許文献１】特開２００１−３５６１７１号公報
【発明の概要】
【発明が解決しようとする課題】
【０００４】
ところで、上述のようなシステムでは、個人の被ばく線量が線量限度に達するか否かについては、入退場管理システムとは別に管理している。
しかしながら、放射能汚染地域などで除染作業を行う場合には、多数の作業員が作業エリアである放射能汚染地域に入場することになり、作業者個人の被ばく線量をより簡単かつ確実に管理することが要請される。
【０００５】
本発明は、作業者個人の被ばく線量を簡単かつ確実に管理できる入退場管理システムを提供することを目的とする。
【課題を解決するための手段】
【０００６】
請求項１に記載の入退場管理システム（例えば、後述の入退場管理システム１）は、高放射線量の作業エリアでの作業者の入退場を管理する入退場管理システムであって、前記作業者の個人識別子（例えば、後述の従事者カード１２）から当該作業者の識別番号（例えば、後述の従事者番号）を読み取る個人識別手段（例えば、後述のバーコードスキャナ１１）と、前記作業者に割り当てられて被ばく線量を計測する線量計（例えば、後述のポケット線量計１３）の識別番号（例えば、後述の線量計番号）を読み取る線量計識別手段（例えば、後述のバーコードスキャナ１１）と、前記線量計で計測した被ばく線量値を読み取り入力する線量値入力手段（例えば、後述の赤外線通信装置１４）と、入場管理が選択された状態で、前記個人識別手段により前記作業者の識別番号を読み取り、かつ、前記線量計識別手段により前記線量計の識別番号を読み取ると、前記作業者に前記線量計を関連付けて入場者として記憶する入場管理手段（例えば、後述の入場管理手段３２）と、退場管理が選択された状態で、前記個人識別手段により前記作業者の識別番号を読み取り、かつ、前記線量計識別手段により前記線量計の識別番号を読み取って、さらに前記線量値入力手段により前記線量計で計測した被ばく線量値を読み取り入力すると、前記作業者に当該被ばく線量値を関連付けて退場者として記憶する退場管理手段（例えば、後述の退場管理手段３３）と、作業者毎に、前記入力された被ばく線量値を累積して累積被ばく線量を算定し、線量限度から当該累積被ばく線量を減算して、許容被ばく線量を求めるとともに、前記累積被ばく線量および前記許容被ばく線量を表示する被ばく線量管理手段（例えば、後述の被ばく線量管理手段３４）と、を備えることを特徴とする。
【０００７】
この発明によれば、入場管理手段および退場管理手段による通門管理と、被ばく線量管理手段による被ばく線量管理とを一体化した。よって、作業者個人の被ばく線量を簡単かつ確実に管理できる。
また、個人識別手段により個人識別子から当該作業者の識別番号を読み取るとともに、線量計識別手段により線量計の識別番号を読み取り、さらに線量値入力手段により線量計で計測した被ばく線量値を読み取って入力する構成とした。よって、作業者自らが入力する場合に比べて、不正や転写ミス等を防止して、より高い精度で通門管理できる。
【０００８】
請求項２に記載の入退場管理システムは、前記作業者の線量計の被ばく線量および作業時間に基づいて、当該作業者の作業場所における空間放射線量を推定する放射線量推定手段（例えば、後述の放射線量推定手段３５）と、複数の作業場所における空間放射線量を補間して、前記作業エリアにおける空間放射線量の分布を算定して表示する放射線量分布管理手段（例えば、後述の放射線量分布管理手段３６）と、をさらに備えることを特徴とする。
【０００９】
従来では、作業者の被ばく線量と作業場所の空間放射線量と別々に計測していた。すなわち、作業者の被ばく量は、作業者に配布したポケット線量計により計測していた。一方、放射能汚染地域の空間放射線量は、航空機、自動車、複数の建物屋上に多数設置した放射線検出器（モニタリングポスト）によりに計測していた。
【００１０】
しかしながら、放射能汚染地域放射線検出器を多数設置すると、設置や維持などにコストがかかるという問題があった。また、除染作業は、地表面から数ｃｍ程度の高さで行う除草作業や建物屋内での洗浄作業、および、住宅の屋根上の洗浄作業などが主であるため、航空機、自動車、建物屋上に設置した放射能検出器による測定高さは、実際の作業高さと異なる。そのため、除染計画を高い精度で策定することが困難であった。
【００１１】
そこで、この発明によれば、放射線量推定手段により、線量計の被ばく線量に基づいて作業場所における空間放射線量を推定した。よって、作業エリアに放射線検出器を多数設置する必要がないので、作業エリア内の空間放射線量を低コストかつ短期間で容易に求めることができる。
また、作業者の所持する線量計で計測した被ばく線量値に基づいて、空間放射線量を推定した。したがって、この推定した空間放射線量は、実際の作業高さにおける値であるので、実情に近い空間放射線量の分布を算定できるから、精度の高い除染計画を策定できる。
【００１２】
請求項３に記載の入退場管理システムは、時間経過に伴う空間放射線量の減衰率を求める減衰率算定手段（例えば、後述の減衰率算定手段３７）と、当該減衰率に基づいて、前記作業エリアにおける将来の空間放射線量の分布を算定して表示する将来放射線量分布管理手段（例えば、後述の将来放射線量分布管理手段３８）と、をさらに備えることを特徴とする。
【００１３】
この発明によれば、将来放射線量分布算定手段により将来の空間放射線量の分布を算定したので、例えば将来の除染作業での被ばく線量を予測して、除染計画を迅速かつ容易に策定できる。
【発明の効果】
【００１４】
本発明によれば、入場管理手段および退場管理手段による通門管理と、被ばく線量管理手段による被ばく線量管理とを一体化した。よって、作業者個人の被ばく線量を簡単かつ確実に管理できる。また、個人識別手段により個人識別カードから当該作業者の識別番号を読み取るとともに、線量計識別手段により線量計の識別番号を読み取り、さらに線量値入力手段により線量計で計測した被ばく線量値を読み取って入力する構成とした。よって、作業者自らが入力する場合に比べて、不正や転写ミス等を防止して、より高い精度で通門管理できる。
【図面の簡単な説明】
【００１５】
【図１】本発明の一実施形態に係る入退場管理システムの構成を示すブロック図である。
【図２】前記実施形態に係る入退場管理システムにより空間放射線線量の分布の生成方法を説明するための図である。
【図３】前記実施形態に係る入退場管理システムの入場者登録のフローチャートである。
【図４】前記実施形態に係る入場者登録における画面の一例を示す図である。
【図５】前記実施形態に係る入場者登録における入退場管理テーブルの一例を示す図である。
【図６】前記実施形態に係る入退場管理システムのグループ入場者登録のフローチャートである。
【図７】前記実施形態に係るグループ入場者登録における画面の一例を示す図（その１）である。
【図８】前記実施形態に係るグループ入場者登録における画面の一例を示す図（その２）である。
【図９】前記実施形態に係るグループ入場者登録における画面の一例を示す図（その３）である。
【図１０】前記実施形態に係るグループ入場者登録における入退場管理テーブルの一例を示す図である。
【図１１】前記実施形態に係る入退場管理システムの退場者登録のフローチャートである。
【図１２】前記実施形態に係る退場者登録における画面の一例を示す図（その１）である。
【図１３】前記実施形態に係る退場者登録における画面の一例を示す図（その２）である。
【図１４】前記実施形態に係る退場者登録における画面の一例を示す図（その３）である。
【図１５】前記実施形態に係る退場者登録における入退場管理テーブルの一例を示す図である。
【図１６】前記実施形態に係る入退場管理システムのグループ退場者登録のフローチャートである。
【図１７】前記実施形態に係るグループ退場者登録における画面の一例を示す図である。
【図１８】前記実施形態に係るグループ退場者登録における入退場管理テーブルの一例を示す図である。
【発明を実施するための形態】
【００１６】
以下、本発明の一実施形態について、図面を参照しながら説明する。
図１は、本発明の一実施形態に係る入退場管理システムの構成を示すブロック図である。
入退場管理システム１は、高放射線量の作業エリアで作業する作業者の入退場を管理するものである。この入退場管理システム１は、高放射線量の作業エリアの入退場口の設置された現地事務所に設置され、入力装置２、表示装置３、および演算処理装置４、および記憶装置５を備える。
【００１７】
入力装置２は、演算処理装置４に情報を入力する装置であり、キーボードやマウスのほか、タッチパネル１０、個人識別手段および線量計識別手段としてのバーコードスキャナ１１、および、線量値入力手段としての赤外線通信装置１４で構成される。
【００１８】
各従事者カードの表面には、従事者番号、および、この従事者番号をバーコード化したバーコードが印字されている。
各ポケット線量計の表面には、線量計番号、および、この線量計番号をバーコード化したバーコードが印字されている。
【００１９】
バーコードスキャナ１１は、個人識別カードとしての従事者カード１２から作業者の識別番号としての従事者番号を読み取ったり、ポケット線量計１３から線量計の識別番号としての線量計番号を読み取ったりすることが可能である。
赤外線通信装置１４は、ポケット線量計１３からこのポケット線量計１３で計測した被ばく線量値を読み取り、演算処理装置４に送信することが可能である。
【００２０】
表示装置３は、入力装置２で入力された情報や演算処理装置４から出力された情報を表示する装置であり、本実施形態では、上述のタッチパネル１０である。
記憶装置５は、種々の情報を記憶する装置であり、例えばハードディスクである。
演算処理装置４は、コンピュータであり、記憶装置５に記憶されたプログラムを読み出して、動作制御を行うＯＳ（Ｏｐｅｒａｔｉｎｇ  Ｓｙｓｔｅｍ）上に展開して実行するものである。
【００２１】
演算処理装置４は、コンピュータであり、モード設定手段３０、計時手段３１、入場管理手段３２、退場管理手段３３、被ばく線量管理手段３４、放射線量推定手段３５、放射線量分布管理手段３６、減衰率算定手段３７、および将来放射線量分布管理手段３８を備える。
【００２２】
モード設定手段３０は、作業者や管理者などによるタッチパネル１０の操作に従って、入場管理や退場管理のモードを設定する。
計時手段３１は、現在の時刻を測定するものである。
【００２３】
入場管理手段３２は、モード設定手段３０により入場管理が選択された状態で、バーコードスキャナ１１により従事者番号および線量計番号を読み取ると、計時手段３１により現在時刻を取得して、作業者の氏名、従事者番号、線量計番号、および入場日時を関連付けて、入場者として記憶する。
【００２４】
退場管理手段３３は、モード設定手段３０により退場管理が選択された状態で、バーコードスキャナ１１により従事者番号および線量計番号を読み取るとともに、赤外線通信装置１４により線量計で計測した被ばく線量値を読み取ることで被ばく線量値が入力されると、計時手段３１により現在時刻を取得して、この作業員に、退場日時、作業時間、被ばく線量値、作業場所、および作業内容を関連付けて、退場者として記憶する。なお、被ばく線量値の入力は、赤外線通信装置１４により読み取る場合に限らず、作業者により手入力することも可能である。
【００２５】
被ばく線量管理手段３４は、各作業者について、線量計で計測した被ばく線量値を累積して累積被ばく線量を算定し、線量限度からこの累積被ばく線量を減算して、被ばく可能な許容被ばく線量を求めるとともに、累積被ばく線量および許容被ばく線量をタッチパネル１０に表示する。
ここで、法律で定められた年間被ばく線量の上限値は、男性および妊娠の可能性のない女性は５０ｍＳｖ／年、妊娠中の女性は２ｍＳｖ／年である。よって、線量限度は、これらの値を参考にして決定する。
【００２６】
放射線量推定手段３５は、ポケット線量計で計測した線量計の被ばく線量に基づいて、作業場所における空間放射線量（μＳｖ／時間）を推定する。空間放射線量（空間線量率）は、作業場所ごとに求められ、地表面から所定高さにおける値である。
まず、ポケット線量計で計測した被ばく線量値は、以下の式（１）で表される。
【００２７】
被ばく線量値＝（空間放射線量−大地からの自然放射線量）
×（屋外滞在時間＋屋内滞在時間×屋内滞在による遮蔽係数）
÷１０００・・・式（１）
【００２８】
ここで、屋外滞在時間とは、屋外における作業時間であり、屋内滞在時間とは、屋内における作業時間である。
この式（１）を変形させて、空間放射線量を求めるための式（２）とする。
【００２９】
空間放射線量＝被ばく線量値×１０００
／（屋外滞在時間＋屋内滞在時間×屋内滞在による遮蔽係数）
＋大地からの自然放射線量・・・式（２）
【００３０】
この式（２）に従って、空間放射線量を推定する。
ここで、大地からの自然放射線量（μＳｖ／時間）は、全国平均値が０．０５である。
例えば、ポケット線量計で計測した被ばく線量値が１ｍｍＳｖ／年である場合、屋内滞在による遮蔽係数を０．４として、空間放射線量は、１×１０００／（８＋１６×０．４）＋０．０５＝０．２４（μＳｖ／時間）となる。
【００３１】
放射線量分布管理手段３６は、放射線量推定手段３５により推定した各作業場所における空間放射線量をプロットし、互いに隣り合う作業場所における空間放射線量を補間して、作業エリアにおける空間放射線量の分布を算定してタッチパネル１０に表示する。
すなわち、各モニタリング地点（作業場所）の空間放射線量に対して、ラグランジュ補間やスプライン補間などの補間計算法を用いて平準化処理を行い、作業エリアにおける空間放射線量の面分布を算定する。
【００３２】
具体的には、例えば、図２に示すように、作業エリアの地図上の作業場所に、算定した空間放射線量をプロットする（図２中○で示す）。そして、補間計算法により隣り合う位置の間の空間放射線量を求めて、プロットする（図２中□で示す）。そして、同じ空間放射線量を線Ｌで結んで、空間放射線量の分布を生成する。
【００３３】
減衰率算定手段３７は、時間経過に伴う空間放射線量の減衰率を求める。
すなわち、空間放射線量は、セシウム１３４から放出される放射線が７０％程度、セシウム１３７から放出される放射線が３０％で構成される。セシウム１３７の半減期（放射線量が５０％程度まで自然減衰する期間）は３０年程度で、セシウム１３４の半減期は２年程度である。
よって、空間放射線量の減衰率ｐ（ｔ）／ｐ（０）は、以下の表に示すように、２年で当初の６０％程度となり、３年で５０％程度となる。
【００３４】
【表１】
2014048117.tif 000003
【００３５】
将来放射線量分布管理手段３８は、減衰率に基づいて、作業エリアにおける将来の空間放射線量の分布を算定してタッチパネル１０に表示する。
すなわち、放射線量分布管理手段３６により求めた現在の空間放射線量の分布に、減衰率算定手段３７により求めた減衰率ｐ（ｔ）／ｐ（０）を乗じて算定する。
【００３６】
以下、入退場管理システム１の動作について説明する。
予め、作業エリアで作業する各作業員について、各作業者の氏名に住所や緊急連絡先などの個人情報および従事者番号を関連付けた個人台帳を生成し、記憶装置５に記憶させておく。
【００３７】
まず、作業者が個人単位で入場する手順（入場者登録）について、図３のフローチャートを参照しながら説明する。
ステップＳ１１では、作業者または管理者がタッチパネル１０を操作して入場管理を選択する。すると、モード設定手段３０は、入場管理モードを設定する。
例えば、図４に示すように、タッチパネル１０には、入場管理モードの画面４０が表示される。
【００３８】
ステップＳ１２では、作業者が従事者カード１２のバーコードをバーコードスキャナ１１で読み取ることにより、従事者番号を入力する。すると、入場管理手段３２は、入力された従事者番号に基づいて、従事者の氏名を記憶装置５から読み出して、タッチパネル１０に表示する。
【００３９】
例えば、図４に示すように、タッチパネル１０の画面４０の左上には、従事者カード１２から読み取った従事者番号４１が表示され、この従事者番号４１の右側には、読み取った従事者番号に対応した作業員の氏名４２が表示される。
【００４０】
ステップＳ１３では、作業者がポケット線量計１３のバーコードをバーコードスキャナ１１で読み取ることにより、線量計番号を入力する。
すると、入場管理手段３２は、入力された線量計番号をタッチパネル１０に表示する。
【００４１】
例えば、図４に示すように、タッチパネル１０の画面４０の左側中央には、ポケット線量計１３から読み取った線量計番号４３が表示される。
【００４２】
ステップＳ１４では、作業者がタッチパネル１０を操作して内容を確定させる。
例えば、図４に示すように、作業者がタッチパネル１０の画面４０の中央下側の「入場する」ボタン４４をタッチすることにより、氏名、従事者番号、線量計番号が確定される。
なお、バーコードスキャナ１１でバーコードをスキャンできない場合には、従事者番号や線量計番号を画面右側のテンキー４５で打ち込んでもよい。
【００４３】
すると、入場管理手段３２は、計時手段３１により現在時刻を取得して、作業者の氏名、従事者番号、線量計番号、および入場日時を関連付けて、入場者として記憶する。
例えば、図５に示すように、図５中左側から、作業員の氏名、従事者番号、線量計番号、入場日時、退場日時、作業時間（ここでは屋外作業時間のみとする）、被ばく線量値、作業場所、作業内容の順に並んだ入退場管理テーブル４６を生成する。
【００４４】
次に、作業者がグループ単位で入場する手順（グループ入場者登録）について、図６のフローチャートを参照しながら説明する。
ステップＳ２１では、グループの代表者が上述のステップＳ１１〜Ｓ１４の手順で、入場者登録を行う。
ステップＳ２２では、作業者がタッチパネル１０を操作してグループ入場を選択する。すると、モード設定手段３０は、グループ入場管理モードを設定する。
例えば、図７に示すように、タッチパネル１０には、グループ入場管理モードの画面５０が表示される。
【００４５】
ステップＳ２３では、グループの代表者が自分の従事者カードのバーコードをバーコードスキャナ１１で読み取ることにより、従事者番号を入力する。すると、入場管理手段は、入力された従事者番号に基づいて、従事者の氏名を記憶装置５から読み出して、タッチパネル１０に表示する。
【００４６】
例えば、図８に示すように、タッチパネル１０の画面５０の左上には、従事者カード１２から読み取った従事者番号５１が表示され、画面５０の中央には、読み取った従事者番号５１に対応した氏名５２がグループ代表者として表示される。
【００４７】
ステップＳ２４では、グループの代表者以外のメンバーが順番に、自分の従事者カードのバーコードをバーコードスキャナ１１で読み取ることにより、従事者番号を入力する。すると、入場管理手段３２は、入力された従事者番号に基づいて、作業者の氏名を記憶装置５から読み出して、タッチパネル１０に表示する。
【００４８】
例えば、図９に示すように、タッチパネル１０の画面５０の左下には、読み取った従事者番号５３が表示される。また、画面５０中央のグループ代表者の氏名５２の下には、この読み取った従事者番号に対応した氏名５４がグループメンバーとして表示される。
【００４９】
ステップＳ２５では、作業者がタッチパネル１０を操作して内容を確定させる。
例えば、図９に示すよう、タッチパネル１０の画面５０の中央下側の「グループ入場する」ボタン５５をタッチすることにより、表示された氏名および従事者番号が確定される。
【００５０】
すると、入場管理手段３２は、計時手段３１により現在時刻を取得して、この作業員の氏名、従事者番号、線量計番号を関連付けて、入場者として記憶する。ここで、この作業員の線量計番号には、グループ代表者の線量計番号が割り当てられる。
例えば、図１０に示すように、図１０中左側から、作業員の氏名、従事者番号、線量計番号、入場日時、退場日時、作業時間（ここでは屋外作業時間のみとする）、被ばく線量値、作業場所、作業内容の順に並んだ入退場管理テーブル５６を生成する。この入退場管理テーブル５６では、線量計番号は共通となる。
【００５１】
次に、個人単位で入場登録をした作業者あるいはグループの代表者が退場する手順（退場者登録）について、図１１のフローチャートを参照しながら説明する。
ステップＳ３１では、作業者または管理者がタッチパネル１０を操作して退場管理を選択する。すると、モード設定手段３０は、退場管理モードを設定する。
例えば、図１２に示すように、タッチパネル１０には、入場管理モードの画面６０が表示される。
【００５２】
ステップＳ３２では、作業者が従事者カード１２のバーコードをバーコードスキャナ１１で読み取ることにより、従事者番号を入力する。すると、退場管理手段３３は、入力された従事者番号に基づいて、従事者の氏名を記憶装置５から読み出して、タッチパネル１０に表示する。
【００５３】
例えば、図１２に示すように、タッチパネル１０の画面６０の左上には、従事者カード１２から読み取った従事者番号６１が表示され、この従事者番号６１の右側には、読み取った従事者番号に対応した作業員の氏名６２が表示される。
【００５４】
ステップＳ３３では、作業者がポケット線量計１３のバーコードをバーコードスキャナ１１で読み取ることにより、線量計番号を入力する。
すると、退場管理手段３３は、入力された線量計番号をタッチパネル１０に表示する。
【００５５】
例えば、図１２に示すように、タッチパネル１０の画面６０の左側中央には、ポケット線量計１３から読み取った線量計番号６３が表示される。
【００５６】
ステップＳ３４では、赤外線通信装置１４により線量計１３から被ばく線量値を読み取る。なお、赤外線通信装置１４により読み取れない場合には、作業者が線量計の被ばく線量値を目視で読み取って、タッチパネル１０で入力する。
すると、退場管理手段３３は、入力された被ばく線量値をタッチパネル１０に表示する。
【００５７】
例えば、図１２に示すように、タッチパネル１０の画面６０の左下側には、テンキー６４で入力した被ばく線量値６５が表示される。
【００５８】
ステップＳ３５では、作業者がタッチパネル１０を操作して内容を確定させる。すると、退場管理手段３３は、計時手段３１により現在時刻を取得して、作業者の氏名、従事者番号、線量計番号に、被ばく線量値および退場日時を関連付けて、退場者として記憶する。
【００５９】
例えば、図１２に示すように、タッチパネル１０の画面６０の中央下側の「退場する」ボタン６６をタッチすることにより、氏名、従事者番号、線量計番号が確定される。
【００６０】
ステップＳ３６では、作業者がタッチパネル１０を操作して、作業場所を入力する。
【００６１】
例えば、図１３に示すように、タッチパネル１０の画面６０には、５箇所の作業場所６７が表示される。作業者は、この表示された作業場所６７の中から、自分が作業した場所をタッチして選択する。そして、タッチパネル１０の画面６０の右下側の「次へ」ボタン６８をタッチすることにより、選択した作業場所が確定される。
【００６２】
ステップＳ３７では、作業者がタッチパネル１０を操作して、作業内容を入力する。
【００６３】
例えば、図１４に示すように、タッチパネル１０の画面６０には、４つの作業内容６９が表示される。作業者は、この表示された作業内容６９の中から、自分が作業した内容をタッチして選択する。
【００６４】
ステップＳ３８では、作業者がタッチパネル１０を操作して内容を確定させる。
例えば、図１４に示すように、タッチパネル１０の画面６０の右下側の「退場する」ボタン７０をタッチすることにより、選択した作業内容が確定される。
【００６５】
すると、退場管理手段３３は、計時手段３１により現在時刻を取得して、この作業員に、退場日時、作業時間、被ばく線量値、作業場所、および作業内容を関連付けて、退場者として記憶する。
例えば図１５に示すように、入退場管理テーブル４６に、退場日時、作業時間（屋外作業時間）、被ばく線量値、作業場所、および作業内容が加えられる。
【００６６】
次に、グループのメンバーである作業者が退場する（グループ退場者登録）手順について、図１６のフローチャートを参照しながら説明する。
ステップＳ４１では、作業者がタッチパネル１０を操作して退場管理を選択する。すると、モード設定手段３０は、退場管理モードを設定する。
【００６７】
ステップＳ４２では、作業者が従事者カードのバーコードをバーコードスキャナ１１で読み取ることにより、従事者番号を入力する。すると、退場管理手段３３は、入力された従事者番号に基づいて、従事者の氏名を記憶装置５から読み出して、タッチパネル１０に表示する。
【００６８】
例えば、図１７に示すように、タッチパネル１０の画面８０の左上には、従事者カード１２から読み取った従事者番号８１が表示され、この従事者番号８１の右側には、読み取った従事者番号に対応した作業員の氏名８２が表示される。
【００６９】
ステップＳ４３では、作業者がタッチパネル１０を操作して内容を確定させる。
例えば、図１７に示すように、タッチパネル１０の画面８０中央下側の「退場する」ボタン８３をタッチすることにより、氏名、従事者番号、線量計番号が確定される。
【００７０】
すると、退場管理手段３３は、計時手段３１により現在時刻を取得して、この作業員に、退場日時、作業時間、被ばく線量値、作業場所、および作業内容を関連付けて、退場者として記憶する。ここで、この作業員の作業時間、被ばく線量値、作業場所、および作業内容には、グループ代表者の作業時間、被ばく線量値、作業場所、および作業内容が割り当てられる。
例えば、図１８に示すように、入退場管理テーブル５６に、退場日時、作業時間、被ばく線量値、作業場所、および作業内容が加えられる。この入退場管理テーブル５６では、作業時間（屋外作業時間）、被ばく線量値、作業場所、および作業内容は共通となる。
【００７１】
作業者の累積被ばく線量を管理する場合、管理者がタッチパネル１０を操作して被ばく線量管理を選択する。すると、被ばく線量管理手段３４により、各作業者について被ばく可能な許容被ばく線量を求めて、タッチパネル１０に表示する。
【００７２】
また、放射線量分布を確認したい場合、管理者がタッチパネル１０を操作して放射線量分布を選択する。すると、放射線量推定手段３５および放射線量分布管理手段３６により、作業エリアにおける空間放射線量の分布が算定されて、タッチパネル１０に表示される。
【００７３】
また、将来の放射線量分布を確認したい場合、管理者がタッチパネル１０を操作して将来放射線量分布を選択する。すると、減衰率算定手段３７および将来放射線量分布管理手段３８により、作業エリアにおける将来の空間放射線量の分布が算定されて、タッチパネル１０に表示される。
【００７４】
本実施形態によれば、以下のような効果がある。
（１）入場管理手段３２および退場管理手段３３による通門管理と、被ばく線量管理手段３４による被ばく線量管理とを一体化した。よって、作業者個人の被ばく線量を簡単かつ確実に管理できる。
また、バーコードスキャナ１１により、従事者カード１２から作業者の従事者番号を読み取るとともに、ポケット線量計１３から線量計番号を読み取り、さらに赤外線通信装置１４により線量計１３から被ばく線量値を読み取って入力する構成とした。よって、作業者自らが入力する場合に比べて、不正や転写ミス等を防止して、より高い精度で通門管理できる。
【００７５】
（２）放射線量推定手段３５により、線量計の被ばく線量に基づいて作業場所における空間放射線量を推定した。よって、作業エリアに放射線検出器を多数設置する必要がないので、作業エリア内の空間放射線量を低コストかつ短期間で容易に求めることができる。
また、作業者の所持するポケット線量計１３で計測した被ばく線量値に基づいて、空間放射線量を推定した。したがって、この推定した空間放射線量は、実際の作業高さにおける値であるので、実情に近い空間放射線量の分布を算定できるから、精度の高い除染計画を策定できる。
【００７６】
（３）将来放射線量分布管理手段３８により、将来の空間放射線量の分布を算定したので、将来の除染作業での被ばく線量を予測して、除染計画を迅速かつ容易に策定できる。
【００７７】
なお、本発明は前記実施形態に限定されるものではなく、本発明の目的を達成できる範囲での変形、改良等は本発明に含まれるものである。
例えば、本実施形態では、入退場管理システム１を現地事務所に設置した１台のコンピュータで構成としたが（スタンドアロン）、これに限らず、入退場管理システムをネットワークを介して接続した複数台のコンピュータで構成してもよい。
【００７８】
例えば、現地から離れた管理事務所にコンピュータを設置し、このコンピュータをネットワークで現地事務所のコンピュータに接続する。そして、現地事務所のコンピュータにより、入退場管理システム１のうちモード設定手段、計時手段、入場管理手段、退場管理手段、および被ばく線量管理手段のみを実行し、管理事務所のコンピュータにより、残る放射線量推定手段、放射線量分布管理手段、減衰率算定手段、および将来放射線量分布管理手段を実行してもよい。
この場合、現地事務所のコンピュータと管理事務所のコンピュータとを定期的あるいはリアルタイムに同期させて、現地事務所のコンピュータに記憶された内容を管理事務所のコンピュータに送信する。
【００７９】
本実施形態では、バーコードスキャナ１１で従事者番号および線量計番号を読み取ったが、これに限らず、赤外線通信により自動的に従事者番号および線量計番号を読み取ってもよい。
【００８０】
本実施形態では、屋外でのみ作業を行うものとして、屋外滞在時間を作業時間として記録したが、これに限らない。すなわち、屋外および屋内で作業を行うものとして、屋外滞在時間を屋外作業時間として記録するとともに、屋内滞在時間を屋内作業時間として記録して、これら屋外作業時間および屋内作業時間に基づいて空間放射線量を求めてもよい。
【符号の説明】
【００８１】
１…入退場管理システム
２…入力装置
３…表示装置
４…演算処理装置
５…記憶装置
１０…タッチパネル
１１…バーコードスキャナ（個人識別手段、線量計識別手段）
１２…従事者カード（個人識別カード）
１３…ポケット線量計
１４…赤外線通信装置（線量値入力手段）
３０…モード設定手段
３１…計時手段
３２…入場管理手段
３３…退場管理手段
３４…被ばく線量管理手段
３５…放射線量推定手段
３６…放射線量分布管理手段
３７…減衰率算定手段
３８…将来放射線量分布管理手段
４０…画面
４１…従事者番号
４２…氏名
４３…線量計番号
４４…「入場する」ボタン
４５…テンキー
４６…入退場管理テーブル
５０…画面
５１…代表者の従事者番号
５２…代表者の氏名
５３…メンバーの従事者番号
５４…メンバーの氏名
５５…「グループ入場する」ボタン
５６…入退場管理テーブル
６０…画面
６１…従事者番号
６２…氏名
６３…線量計番号
６４…テンキー
６５…被ばく線量値
６６…「退場する」ボタン
６７…作業場所
６８…「次へ」ボタン
６９…作業内容
７０…「退場する」ボタン
８０…画面
８１…従事者番号
８２…氏名
８３…「退場する」ボタン
【図１】
2014048117.tif 000004
【図２】
2014048117.tif 000005
【図３】
2014048117.tif 000006
【図４】
2014048117.tif 000007
【図５】
2014048117.tif 000008
【図６】
2014048117.tif 000009
【図７】
2014048117.tif 000010
【図８】
2014048117.tif 000011
【図９】
2014048117.tif 000012
【図１０】
2014048117.tif 000013
【図１１】
2014048117.tif 000014
【図１２】
2014048117.tif 000015
【図１３】
2014048117.tif 000016
【図１４】
2014048117.tif 000017
【図１５】
2014048117.tif 000018
【図１６】
2014048117.tif 000019
【図１７】
2014048117.tif 000020
【図１８】
2014048117.tif 000021